(57)【特許請求の範囲】
【請求項１】
コンテンツを選択させるためのGUI(Graphical User Interface)の表示を制御する表示制御装置において、
複数の前記コンテンツにそれぞれ対応する複数の選択表示を、所定の並び順で、環状に配列することにより形成される前記GUIとしての環状表示を生成する環状表示生成手段と、
前記所定の並び順で配列したときの順番が、最初又は最後の順番の選択表示の位置の少なくとも一方を示す第１の目印を、前記環状表示に付加する第１の目印付加手段と、
前記第１の目印が付加された前記環状表示を表示させる表示制御手段と、
前記環状表示を形成する前記複数の選択表示のうち、ユーザの指定操作より指定された選択表示に、前記第１の目印とは異なる第２の目印を付加する第２の目印付加手段と
を備え、
前記表示制御手段は、前記ユーザの指定操作が行われたことに対応して、前記第１の目印が付加された前記環状表示であって、且つ、前記ユーザの指定操作により指定された選択表示に前記第２の目印が付加された前記環状表示を表示させる
表示制御装置。
【請求項２】
前記第２の目印付加手段により前記第２の目印が付加された選択表示の一覧である選択表示リストを生成する選択表示リスト生成手段をさらに備え、
前記表示制御手段は、さらに、前記選択表示リスト生成手段により生成された前記選択表示リストを表示させる
請求項１に記載の表示制御装置。
【請求項３】
前記選択表示リスト生成手段は、前記第２の目印が付加された選択表示に対応するコンテンツの詳細情報を含む前記選択表示リストを生成する
請求項２に記載の表示制御装置。
【請求項４】
前記表示制御手段は、前記環状表示を形成する前記複数の選択表示のうち、選択されている選択表示を強調して表示させる
請求項１に記載の表示制御装置。
【請求項５】
前記コンテンツは、放送局により放送される番組であり、
前記環状表示生成手段は、前記選択表示として、前記番組を放送する前記放送局のロゴ、又は前記放送局のチャンネル番号の少なくとも一方を、ARIB（Association of Radio Industries and Businesses）推奨順で、環状に配列することにより形成される前記GUIとしての環状表示を生成する
請求項１に記載の表示制御装置。
【請求項６】
コンテンツを選択させるためのGUIの表示を制御する表示制御装置の表示制御方法において、
複数の前記コンテンツにそれぞれ対応する複数の選択表示を、所定の並び順で、環状に配列することにより形成される前記GUIとしての環状表示を生成し、
前記所定の並び順で配列したときの順番が、最初又は最後の順番の選択表示の位置の少なくとも一方を示す第１の目印を、前記環状表示に付加し、
前記第１の目印が付加された前記環状表示を表示させ、
前記環状表示を形成する前記複数の選択表示のうち、ユーザの指定操作より指定された選択表示に、前記第１の目印とは異なる第２の目印を付加する
ステップを含み、
前記ユーザの指定操作が行われたことに対応して、前記第１の目印が付加された前記環状表示であって、且つ、前記ユーザの指定操作により指定された選択表示に前記第２の目印が付加された前記環状表示を表示させる
表示制御方法。
【請求項７】
コンテンツを選択させるためのGUIの表示を制御する表示制御装置として、コンピュータを機能させるためのプログラムにおいて、
複数の前記コンテンツにそれぞれ対応する複数の選択表示を、所定の並び順で、環状に配列することにより形成される前記GUIとしての環状表示を生成する環状表示生成手段と、
前記所定の並び順で配列したときの順番が、最初又は最後の順番の選択表示の位置の少なくとも一方を示す第１の目印を、前記環状表示に付加する第１の目印付加手段と、
前記第１の目印が付加された前記環状表示を表示させる表示制御手段と、
前記環状表示を形成する前記複数の選択表示のうち、ユーザの指定操作より指定された選択表示に、前記第１の目印とは異なる第２の目印を付加する第２の目印付加手段と
を備え、
前記表示制御手段は、前記ユーザの指定操作が行われたことに対応して、前記第１の目印が付加された前記環状表示であって、且つ、前記ユーザの指定操作により指定された選択表示に前記第２の目印が付加された前記環状表示を表示させる
表示制御装置として、コンピュータを機能させるプログラム。
【発明の詳細な説明】
【技術分野】
【０００１】
本発明は、表示制御装置、表示制御方法、及びプログラムに関し、特に、例えば、番組等の複数のコンテンツの中から、ユーザが所望するコンテンツを、効率良く、容易に選択できるようにする表示制御装置、表示制御方法、及びプログラムに関する。
【背景技術】
【０００２】
近年、放送衛星や通信衛星等の衛星を介して、テレビジョン信号をデジタル化して伝送し、各家庭においてこれを受信するシステムが普及しつつある。このシステムにおいては、１００チャンネルを超える極めて多くの番組が放送されている。
【０００３】
このようなシステムにおいては、多くの番組の中から所望の番組を確実に選択することができるようにするため、EPG（Electronic Program Guide）データを伝送し、受信側においてこれを受信して番組表（以下、EPGという）として表示し、このEPGから所望の番組を選択することが行われている。
【０００４】
例えば、特許文献１には、横軸上に複数の日付及び曜日が割当てられ、表示される日付軸と、縦軸上に放送時間が割当てられ、２時間単位で時間が表示される時間軸とが構成され、さらに日付軸・時間軸上に番組情報を表示する表示領域の複数のセルがスプレットシート状に表示されているEPGを表示する番組表表示装置が開示されている（特に、特許文献１の[０１２６]段落、及び図４を参照）。
【０００５】
ユーザは、上述のEPGを利用して、視聴や録画を所望する目的の番組を見つけ出すことができる。
【０００６】
しかしながら、EPGが表示対象とする番組数は、非常に多いため、上述のEPGでは、すべての番組を一度に表示させることができず、放送されている数多くの番組の全体像を把握することはできない。
【０００７】
そこで、EPGが表示対象とする番組を放送するチャンネルのチャンネル番号すべての一覧を表示させる技術が提案されている。
【０００８】
また、ユーザが、EPGを利用することにより、気に入った番組を放送するチャンネルのチャンネル番号をお気に入りチャンネル番号として設定し、お気に入りチャンネル番号の一覧を環状に配列した円盤状の一覧表示を表示させる技術が提案されている。
【０００９】
【特許文献１】特開２００５−２４４８６７号公報
【発明の開示】
【発明が解決しようとする課題】
【００１０】
しかしながら、上述の、チャンネル番号すべての一覧を表示させる技術や円盤状の一覧表示を表示させる技術では、チャンネル番号が表示されているだけであり、例えば、ユーザが所望する番組を検索する場合に、表示されているチャンネル番号のチャンネルで放送される番組の内容等を確認するときには、ユーザは、EPGを表示させなければならなかった。
【００１１】
本発明は、このような状況に鑑みてなされたものであり、特に、例えば、TV番組のような複数のコンテンツの中から、ユーザが所望するコンテンツを、効率良く、容易に選択できるようにするものである。
【課題を解決するための手段】
【００１２】
本発明の一側面の表示制御装置、又はプログラムは、コンテンツを選択させるためのGUI(Graphical User Interface)の表示を制御する表示制御装置、又はコンテンツを選択させるためのGUIの表示を制御する表示制御装置として、コンピュータを機能させるプログラムであって、複数の前記コンテンツにそれぞれ対応する複数の選択表示を、所定の並び順で、環状に配列することにより形成される前記GUIとしての環状表示を生成する環状表示生成手段と、前記所定の並び順で配列したときの順番が、最初又は最後の順番の選択表示の位置の少なくとも一方を示す第１の目印を、前記環状表示に付加する第１の目印付加手段と、前記第１の目印が付加された前記環状表示を表示させる表示制御手段と、前記環状表示を形成する前記複数の選択表示のうち、ユーザの指定操作より指定された選択表示に、前記第１の目印とは異なる第２の目印を付加する第２の目印付加手段とを備え、前記表示制御手段は、前記ユーザの指定操作が行われたことに対応して、前記第１の目印が付加された前記環状表示であって、且つ、前記ユーザの指定操作により指定された選択表示に前記第２の目印が付加された前記環状表示を表示させる表示制御装置、又は表示制御装置として、コンピュータを機能させるプログラムである。
【００１４】
前記第２の目印付加手段により前記第２の目印が付加された選択表示の一覧である選択表示リストを生成する選択表示リスト生成手段をさらに設けることができ、前記表示制御手段は、さらに、前記選択表示リスト生成手段により生成された前記選択表示リストを表示させることができる。
【００１５】
前記選択表示リスト生成手段では、前記第２の目印が付加された選択表示に対応するコンテンツの詳細情報を含む前記選択表示リストを生成することができる。
【００１６】
前記表示制御手段では、前記環状表示を形成する前記複数の選択表示のうち、選択されている選択表示を強調して表示させることができる。
前記コンテンツは、放送局により放送される番組であり、前記環状表示生成手段では、前記選択表示として、前記番組を放送する前記放送局のロゴ、又は前記放送局のチャンネル番号の少なくとも一方を、ARIB（Association of Radio Industries and Businesses）推奨順で、環状に配列することにより形成される前記GUIとしての環状表示を生成することができる。
【００１７】
本発明の一側面の表示制御方法は、コンテンツを選択させるためのGUIの表示を制御する表示制御装置の表示制御方法であって、複数の前記コンテンツにそれぞれ対応する複数の選択表示を、所定の並び順で、環状に配列することにより形成される前記GUIとしての環状表示を生成し、前記所定の並び順で配列したときの順番が、最初又は最後の順番の選択表示の位置の少なくとも一方を示す第１の目印を、前記環状表示に付加し、前記第１の目印が付加された前記環状表示を表示させ、前記環状表示を形成する前記複数の選択表示のうち、ユーザの指定操作より指定された選択表示に、前記第１の目印とは異なる第２の目印を付加するステップを含み、前記ユーザの指定操作が行われたことに対応して、前記第１の目印が付加された前記環状表示であって、且つ、前記ユーザの指定操作により指定された選択表示に前記第２の目印が付加された前記環状表示を表示させる表示制御方法である。
【００１８】
本発明の一側面においては、複数のコンテンツにそれぞれ対応する複数の選択表示を、所定の並び順で、環状に配列することにより形成されるGUIとしての環状表示が生成され、所定の並び順で配列したときの順番が、最初又は最後の順番の選択表示の位置の少なくとも一方を示す第１の目印が、環状表示に付加され、第１の目印が付加された環状表示が表示される。また、環状表示を形成する複数の選択表示のうち、ユーザの指定操作より指定された選択表示に、第１の目印とは異なる第２の目印が付加され、第１の目印が付加された環状表示であって、且つ、ユーザの指定操作により指定された選択表示に第２の目印が付加された環状表示が表示される。
【発明の効果】
【００１９】
本発明によれば、例えば、TV番組のような複数のコンテンツの中から、ユーザが所望するコンテンツを、効率良く、容易に選択できるようにすることができる。
【発明を実施するための最良の形態】
【００２０】
以下、図面を参照して、本発明の実施の形態について説明する。
【００２１】
図１は、本発明を適用したDTV(Digital Television)の一実施の形態の構成例を示している。
【００２２】
このDTV１は、リモートコントローラ３からの操作信号に対応し、TV番組を受信して表示するものである。
【００２３】
このDTV１は、CPU(Central Processing Unit)３０、記憶部３１、メモリ３２、受信部３３、チューナ３４、デスクランブラ３５、DEMUX（デマルチプレクサ）３６、Audioデコーダ３７、音声処理回路３８、スピーカ３９、Videoデコーダ４０、OSD(On Screen Display)付加回路４１、画像処理回路４２、及びディスプレイ４３により構成される。
【００２４】
リモートコントローラ３は、ユーザのキー操作に対応した操作信号を送信する。
【００２５】
CPU３０は、記憶部３１に記憶されたプログラムを実行することにより、各種の処理を行う。即ち、例えば、CPU３０は、ユーザが操作するリモートコントローラ３からの操作信号を受信部３３が受信したことに応じて、チューナ３４、デスクランブラ３５、DEMUX３６、Audioデコーダ３７、音声処理回路３８、Videoデコーダ４０、OSD付加回路４１、及び画像処理回路４２を制御して、番組の画像をディスプレイ４３に表示させ、音声をスピーカ３９から出力させる。
【００２６】
また、CPU３０は、DEMUX３６からのEPGデータを、メモリ３２に供給して記憶させる。ここで、EPGデータとは、放送される番組のタイトル、ジャンル、出演者、番組の概要、番組のスナップショット等の番組の詳細情報、番組を放送するチャンネルのチャンネル番号、番組を放送する放送局のロゴ等の各種の情報を含むデータをいう。
【００２７】
さらに、CPU３０は、メモリ３２に記憶されたEPGデータを読出し、そのEPGデータに基づいて、番組の画像に合成（重畳）させてディスプレイ４３に表示させる環状表示１０１（図３）やEPG等を表す画像データを生成し、OSD付加回路４１に供給する。
【００２８】
記憶部３１は、書き換え可能で、電源が遮断されても記録内容を保持できる、いわゆる不揮発性の記憶媒体からなり、例えば、ハードディスク、フラッシュメモリ、EEPROM(Electrically Erasable Programmable Read Only Memory)、MRAM(Magnetoresistive Random Access Memory(磁気抵抗メモリ))、又はFeRAM(Ferroelectric Random Access Memory(強誘電体メモリ))等により構成される。記憶部３１は、CPU３０が各種の処理を行うためのプログラムやデータを記憶する。記憶部３１に記憶されたプログラムやデータは、書き換えることにより、バージョンアップさせることができる。
【００２９】
なお、CPU３０が実行するプログラムは、記憶部３１に予め記憶させておく他、TV放送やインターネット等の伝送媒体を介して、又は、所定の記録媒体から、記憶部３１にインストールすることができる。
【００３０】
受信部３３は、リモートコントローラ３から、ユーザの操作に対応して送信された操作信号を受信して、CPU３０に供給する。
【００３１】
チューナ３４は、アンテナ２あるいはCATV（Cable Television）回線等を介してTV放送信号を受信、復調し、その結果得られたトランスポートストリームをデスクランブラ３５に供給する。なお、このトランスポートストリームには、番組のビデオデータ、オーディオデータの他、EPGデータも含まれている。
【００３２】
デスクランブラ３５は、チューナ３４から供給されたトランスポートストリームのスクランブルを解除し、スクランブルが解除されたトランスポートストリームを、DEMUX３６に供給する。
【００３３】
DEMUX３６は、デスクランブラ３５から供給されたトランスポートストリームの中から、ユーザの選局に対応する成分を抽出し、その抽出された成分を、オーディオデータ、ビデオデータ、及びEPGデータに分離して、オーディオデータをAudioデコーダ３７に、ビデオデータをVideoデコーダ４０に、EPGデータをCPU３０に、それぞれ供給する。
【００３４】
Audioデコーダ３７は、DEMUX３６から供給されたオーディオデータを復号（デコード）し、復号後のオーディオデータを音声処理回路３８に供給する。
【００３５】
音声処理回路３８は、Audioデコーダ３７から供給された復号後のオーディオデータに対して、D/A(Digital/Analog)変換、増幅処理等を施し、その結果得られた音声データをスピーカ３９に供給して、対応する音声を出力させる。
【００３６】
Videoデコーダ４０は、DEMUX３６から供給されたビデオデータを復号し、復号後のビデオデータをOSD付加回路４１に供給する。
【００３７】
OSD付加回路４１は、CPU３０から、環状表示やEPG等を表す画像データが供給された場合、Videoデコーダ４０から供給された所定の番組を表す復号後のビデオデータに、CPU３０からの画像データを合成し、その合成により得られた合成データを、画像処理回路４２に供給する。
【００３８】
また、OSD付加回路４１は、CPU３０から、画像データが供給されない場合、Videoデコーダ４０から供給された復号後のビデオデータを、そのまま、合成データとして、画像処理回路４２に供給する。
【００３９】
画像処理回路４２は、OSD付加回路４１から供給された合成データに対して、所定の画像処理、D/A変換等の処理を施し、その処理後の合成データを、ディスプレイ４３に供給する。
【００４０】
ディスプレイ４３は、画像処理回路４２からの合成データに対応する画像を表示する。即ち、例えば、ディスプレイ４３は、番組の画像、番組の画像に環状表示が合成された画像、又は、番組の画像に、EPGとともに環状表示が合成された画像等を表示する。
【００４１】
リモートコントローラ３は、音量を調節する音量キー、チャンネルを選択するテンキー等（いずれも不図示）の一般的なキーの他、例えば、複数のチャンネルを、ユーザが選択可能な選択肢として、ユーザに提示して選択させるGUIとしての環状表示１０１（図３）等を操作するために用いる上下左右方向に操作が可能な十字キー３A、ユーザが気に入ったチャンネルを指定するために用いるお気に入りボタン３B、環状表示１０１を表示させるために用いる環状表示ボタン３C、及び選択肢（チャンネル）を選択するのに用いる選択ボタン３D等の操作キーを有している。
【００４２】
図２は、図１のCPU３０が記憶部３１に記憶されているプログラムを実行することにより実現される機能ブロックを示すブロック図である。
【００４３】
即ち、CPU３０は、機能ブロックとして、環状表示生成部７１、目印付加部７２、お気に入りマーク付加部７３、チャンネル表示リスト生成部７４、及び表示制御部７５を有する。
【００４４】
環状表示生成部７１は、メモリ３２に記憶されたEPGデータが含むチャンネル番号及び放送局のロゴに基づいて、チャンネル番号及び放送局のロゴが表示された複数のチャンネル表示（マーク）を、例えば、ARIB（Association of Radio Industries and Businesses）推奨順等の所定の並び順で、環状に配列することにより形成される環状表示を生成し、目印付加部７２に供給する。
【００４５】
目印付加部７２は、環状表示における所定の位置を示す目印１３２（図３）を、環状表示生成部７１からの環状表示に付加する。
【００４６】
ここで、所定の位置は、複数のチャンネル表示を所定の並び順で環状に配列したときの順番が、最初の順番のチャンネル表示（以下、最初のチャンネル表示という）の位置、又は最後の順番のチャンネル表示（以下、最後のチャンネル表示という）の位置のうちの少なくとも一方を指す。
【００４７】
従って、例えば、目印１３２が最初のチャンネル表示の位置を示す場合は、最初のチャンネル表示上に、最後のチャンネル表示の位置を示す場合は、最後のチャンネル表示上に、最初のチャンネル表示と最後のチャンネル表示との両方の位置を表す場合は、最初のチャンネル表示と最後のチャンネル表示との間に、所定の位置を示す目印１３２は、それぞれ付加される。
【００４８】
また、以下、本実施の形態では、説明を簡単にするため、目印１３２は、最初のチャンネル表示と最後のチャンネル表示との両方の位置を表すものとし、最初のチャンネル表示と最後のチャンネル表示との間に付加されているものとする。
【００４９】
目印付加部７２は、目印が付加された環状表示を、お気に入りマーク付加部７３に供給する。
【００５０】
お気に入りマーク付加部７３は、お気に入りボタン３Bを用いたユーザの指定操作により、お気に入りマークの付加（マーキング）が指定されたチャンネル表示が存在する場合、複数のチャンネル表示のうちの、ユーザの指定操作により指定されたチャンネル表示に、お気に入りマーク１４１（図４）を付加するマーキングを行い、そのマーキングにより得られた環状表示を、OSD付加回路４１（図１）に供給する。
【００５１】
また、お気に入りマーク付加部７３は、お気に入りボタン３Bを用いたユーザの指定操作により指定されたチャンネル表示が存在しない場合、目印付加部７２からの環状表示を、そのまま、OSD付加回路４１に供給する。
【００５２】
チャンネル表示リスト生成部７４は、お気に入りボタン３Bを用いたユーザの指定操作により指定されたチャンネル表示が存在する場合、メモリ３２に記憶されたEPGデータが含むチャンネル番号、放送局のロゴ、及び番組の詳細情報に基づいて、ユーザの指定操作により指定されたチャンネル表示と、そのチャンネル表示に対応するチャンネルの詳細情報（チャンネル表示のチャンネル番号に対応するチャンネルで放送されている番組の詳細情報等）との一覧であるチャンネル表示リスト（マークリスト）を生成し、OSD付加回路４１に供給する。
【００５３】
表示制御部７５は、OSD付加回路４１や、画像処理回路４２を制御し、ディスプレイ４３に、お気に入りマーク付加部７３から出力された環状表示、及びチャンネル表示リスト生成部７４から出力されたチャンネル表示リストを表示させる。
【００５４】
図３は、目印が付加された環状表示が表示されたディスプレイ４３の表示画面の一例を示している。
【００５５】
図３の表示画面には、所定の並び順で、環状に配列された複数のチャンネル表示を側面とし、複数のチャンネル表示が描く閉曲線１３１が囲む楕円状の領域を底面とする円柱状（円盤状）の形状を有した環状表示１０１が、閉曲線１３１が囲む楕円状の領域を斜めに見下ろす方向を視点として鳥瞰された形で、表示されている。
【００５６】
即ち、図３の表示画面には、目印１３２が付加された閉曲線１３１と、その閉曲線１３１の一部分を描くように、図中左右方向に帯状に並んで配列されたいくつかの矩形それぞれが表すチャンネル表示とが、環状表示１０１として表示されている。
【００５７】
図中中央に示す枠１３３に囲まれたチャンネル表示は、フォーカスされているチャンネル表示を示しており、異なる他のチャンネル表示と比較して強調して表示されている。
【００５８】
即ち、チャンネル番号「069」と、そのチャンネル番号「069」のチャンネルの放送局のロゴ「LOGO」とが表示されたチャンネル表示（以下、チャンネル表示「069」という）が、フォーカスされているチャンネル表示として、他のチャンネル表示（例えば、チャンネル表示「068」）と比較して、最も大きく表示されるとともに、チャンネル表示「069」を囲む枠１３３が、例えば他のチャンネル表示を囲む枠とは異なる色や大きさで強調されて表示されている。
【００５９】
また、閉曲線１３１に沿った距離が、フォーカスされているチャンネル表示「069」から離れている位置に配列されるチャンネル表示ほど、小さく表示される。
【００６０】
即ち、図３では、フォーカスされているチャンネル表示「069」を基準として、図中、左方向に、フォーカスされているチャンネル表示「069」、チャンネル表示「068」、チャンネル表示「067」、及びチャンネル表示「052」の順番で並んで配列されている。従って、フォーカスされているチャンネル表示「069」、チャンネル表示「068」、チャンネル表示「067」、及びチャンネル表示「052」の順番で、チャンネル表示の大きさが、小さくなっている。
【００６１】
なお、図３においては、図面が煩雑になることを避けるために、チャンネル表示「068」、チャンネル表示「067」、及びチャンネル表示「052」では、チャンネル番号のみを図示し、放送局のロゴの図示を省略するとともに、矩形が表すその他のチャンネル表示については、チャンネル番号及び放送局のロゴのいずれの図示も省略している。また、フォーカスされているチャンネル表示とは異なる他のチャンネル表示を囲む枠についても、図面が煩雑になることを避けるために、図示は省略している。
【００６２】
さらに、十字キー３A（図１）を用いたユーザの回転操作により、複数のチャンネル表示が、閉曲線１３１に沿った方向に移動するように、環状表示１０１が回転する。
【００６３】
即ち、例えば、ユーザが、十字キー３Aを左方向に操作すると、図３の環状表示１０１を形成する複数のチャンネル表示は、それぞれ、１個のチャンネル表示分だけ、十字キー３Aを操作した左方向とは反対の右方向に移動し、フォーカスされるチャンネル表示が、チャンネル表示「069」からチャンネル表示「068」に変化する。
【００６４】
なお、目印１３２は、いまの場合、上述したように、最初のチャンネル表示と最後のチャンネル表示との間の位置を表しているので、環状表示１０１上の、最初のチャンネル表示と最後のチャンネル表示との間に付加されている。従って、複数のチャンネル表示が移動することにより、最初のチャンネル表示と最後のチャンネル表示との間の位置を表す目印１３２も、当然に移動する。
【００６５】
また、例えば、ユーザが、選択ボタン３D（図１）を押下すると、フォーカスされているチャンネル表示が選択されて、そのチャンネル表示のチャンネル番号に対応するチャンネルで放送されている番組が、例えば、環状表示１０１の背景として、ディスプレイ４３に表示される。
【００６６】
図４は、お気に入りマークが付加された環状表示１０１を表示したディスプレイ４３の表示画面の一例を示している。
【００６７】
図４の表示画面には、フォーカスされているチャンネル表示「069」とともに、チャンネル表示「069」とは異なる４個のチャンネル表示に、電球状のお気に入りマーク１４１が付加された環状表示１０１が表示されている。
【００６８】
なお、図４においては、図３に示したチャンネル表示「069」の「LOGO」、チャンネル表示「052」、「067」、及び「068」のチャンネル番号は、図面が煩雑になるのを避けるため、図示を省略している。
【００６９】
図４に示す電球状のお気に入りマークは、例えば、お気に入りボタン３B（図１）を用いたユーザの指定操作により、チャンネル表示に付加される。
【００７０】
即ち、例えば、図３に示すように、チャンネル表示「069」がフォーカスされている場合、ユーザが、お気に入りボタン３Bを押下すると、チャンネル表示「069」が、図４に示すように、電球状のお気に入りマークが付加されたチャンネル表示「069」に変化する。
【００７１】
なお、ディスプレイ４３の表示画面には、お気に入りマークが付加された環状表示１０１の他、図５に示すように、ユーザの指定操作により指定されたチャンネル表示と、そのチャンネル表示に対応するチャンネルの詳細情報との一覧であるチャンネル表示リストを表示することができる。
【００７２】
図５は、チャンネル表示リストを、環状表示１０１の下方に表示したディスプレイ４３の表示画面の一例を示す図である。
【００７３】
図５のチャンネル表示リスト１６１には、ユーザの指定操作によりお気に入りに指定されたチャンネル表示１９１と、そのチャンネル表示１９１に対応するチャンネルの詳細情報１９２とが水平方向に並んで構成されるチャンネル表示欄が、垂直方向に配列されて表示される。
【００７４】
即ち、例えば、図５の環状表示１０１では、ユーザの指定操作により、複数のチャンネル表示のうちの、４個のチャンネル表示「086」、「069」、「023」、及び「003」に、電球状のお気に入りマーク１４１が付加されている。従って、図５のチャンネル表示リスト１６１では、ユーザの指定操作により指定された４個のチャンネル表示「086」、「069」、「023」、及び「003」が、それぞれのチャンネル表示に対応するチャンネルの詳細情報とともに、チャンネル表示欄として、垂直方向に配列されて表示される。
【００７５】
なお、チャンネル表示１９１に対応するチャンネルの詳細情報１９２としては、例えば、ユーザが環状表示１０１及びチャンネル表示リスト１６１を表示させるように、環状表示ボタン３Cを操作したとき等の現在の時刻に、チャンネル表示１９１に対応するチャンネルで放送されている番組の詳細情報や、チャンネル表示１９１に対応するチャンネルで放送される予定の番組の詳細情報等が表示される。
【００７６】
図５の表示画面では、環状表示１０１のフォーカスされているチャンネル表示「069」を囲む枠１３３が強調されて表示される他、チャンネル表示リスト１６１内の、環状表示１０１のフォーカスされているチャンネル表示に対応するチャンネル表示「069」を囲む枠１９３が、環状表示１０１のチャンネル表示「069」と同様に、チャンネル表示リスト１６１内の他のチャンネル番号「086」、「023」、及び「003」それぞれを囲む枠とは異なる色や大きさで、強調されて表示される。
【００７７】
また、ユーザは、環状表示１０１を形成するチャンネル表示を選択する他、十字キー３Aを下又は上方向に操作することにより、チャンネル表示リスト１６１内の所定のチャンネル表示をフォーカスし、選択ボタンを押下することにより、チャンネル表示リスト１６１内の所定のチャンネル表示を選択することが可能である。このとき、チャンネル表示リスト１６１内の所定のチャンネル表示に対応するチャンネルで放送されている番組が、例えば、環状表示１０１及びチャンネル表示リスト１６１の背景として、ディスプレイ４３に表示される。
【００７８】
次に、図６のフローチャートを参照して、環状表示１０１を表示させるときの動作（以下、表示処理という）について説明する。
【００７９】
この表示処理は、例えば、ユーザが、環状表示１０１を表示させようとして、リモートコントローラ３の環状表示ボタン３Cを操作したことに対して、開始される。
【００８０】
ステップＳ３１において、環状表示生成部７１は、メモリ３２に記憶されたEPGデータが含むチャンネル番号及び放送局のロゴに基づいて、チャンネル番号及び放送局のロゴが表示された複数のチャンネル表示を、例えば、ARIB推奨順等の所定の並び順で、環状に配列することにより形成される環状表示１０１を生成し、目印付加部７２に供給して、処理は、ステップＳ３２に進む。
【００８１】
なお、予め、環状表示１０１を生成し、記憶部３１又はメモリ３２に記憶しておくようにしておき、適宜、目印付加部７２に供給するようにしてもよい。
【００８２】
ステップＳ３２において、目印付加部７２は、環状表示における所定の位置を示す目印１３２（図３）を、環状表示生成部７１からの環状表示に付加し、目印が付加された環状表示を、お気に入りマーク付加部７３に供給する。
【００８３】
なお、前回の表示処理において、ユーザの指定操作により、お気に入りマークがチャンネル表示に付加されていた場合、図６を参照して説明する今回の表示処理では、前回の表示処理で行われたユーザの指定操作によるお気に入りマークの付加を行うことが可能である。しかしながら、今回の表示処理では、説明を簡単にするために、前回の表示処理で行われたユーザの指定操作によるお気に入りマークの付加は行わないこととする。
【００８４】
従って、お気に入りマーク付加部７３は、目印付加部７２からの環状表示１０１を、そのまま、OSD付加回路４１に供給する。
【００８５】
ステップＳ３３において、表示制御部７５は、OSD付加回路４１や画像処理回路４２等を制御し、お気に入りマーク付加部７３からOSD付加回路４１に供給された環状表示１０１を、ディスプレイ４３に表示させる。このとき、例えば、ディスプレイ４３には、図３に示す表示画面が表示される。
【００８６】
ステップＳ３３の終了後、処理は、ステップＳ３４に進み、表示制御部７５は、十字キー３A（図１）を用いたユーザの回転操作が行われたか否かを判定する。
【００８７】
ステップＳ３４において、ユーザの回転操作が行われたと判定された場合、処理は、ステップＳ３５に進み、表示制御部７５は、OSD付加回路４１や画像処理回路４２等を制御し、ユーザの回転操作により回転された環状表示１０１を、ディスプレイ４３に表示させる。
【００８８】
一方、ステップＳ３４において、ユーザの回転操作が行われていないと判定された場合、処理は、ステップＳ３５をスキップして、ステップＳ３６に進み、表示制御部７５は、お気に入りボタン３Bを用いたユーザの指定操作が行われたか否かを判定する。
【００８９】
ステップＳ３６において、ユーザの指定操作が行われていないと判定された場合、処理は、ステップＳ３４に戻り、以下、同様の処理を繰り返す。
【００９０】
一方、ステップＳ３６において、ユーザの指定操作が行われたと判定された場合、処理は、ステップＳ３７に進み、お気に入りマーク付加部７３は、ディスプレイ４３に表示されている環状表示１０１を形成する複数のチャンネル表示のうちの、ユーザの指定操作により指定されたチャンネル表示をマーキングし、そのマーキングにより得られた環状表示１０１（図５）を、OSD付加回路４１に供給して、処理は、ステップＳ３８に進む。
【００９１】
ステップＳ３８において、チャンネル表示リスト生成部７４は、メモリ３２に記憶されたEPGデータが含むチャンネル番号、放送局のロゴ、及び番組の詳細情報に基づいて、ユーザの指定操作により指定されたチャンネル表示（環状表示１０１において、マーキングされたチャンネル表示）と、そのチャンネル表示に対応するチャンネルの詳細情報との一覧であるチャンネル表示リスト１６１（図５）を生成し、OSD付加回路４１に供給して、処理は、ステップＳ３９に進む。
【００９２】
ステップＳ３９において、表示制御部７５は、OSD付加回路４１や画像処理回路４２等を制御し、OSD付加回路４１に供給された環状表示１０１及びチャンネル表示リスト１６１、即ち、ステップＳ３７の処理でマーキングにより得られた環状表示１０１、及びステップＳ３８の処理で生成されたチャンネル表示リスト１６１を、ディスプレイ４３に表示させる。このとき、例えば、ディスプレイ４２には、図５に示す表示画面が表示される。
【００９３】
その後、処理は、ステップＳ３４に戻り、以下、同様の処理を繰り返す。そして、例えば、ユーザが、環状表示１０１の表示を消そうとして、リモートコントローラ３の環状表示ボタン３Cを操作したときに、この表示処理は終了される。
【００９４】
以上のように、表示処理では、目印１３２が付加された環状表示１０１が表示される。従って、例えば、フォーカスされているチャンネル表示や、お気に入りマークが付加されたチャンネル表示等のチャンネル表示と目印１３２との位置関係から、フォーカスされているチャンネル表示や、お気に入りマークが付加されたチャンネル表示が、所定の並び順で配列された複数のチャンネル表示のうちの、何番目のチャンネル表示であるかを、直感的に認識することができる。
【００９５】
このため、所定の並び順として、例えば番組のジャンルの順番で、複数のチャンネル表示が配列されている場合には、フォーカスされているチャンネル表示や、お気に入りマークが付加されたチャンネル表示のチャンネルで放送される番組のジャンルを、直感的に認識することができる。よって、ユーザが所望するジャンルの番組を、効率よく、容易に選択することができる。
【００９６】
また、表示処理では、環状表示１０１において、複数のチャンネル表示のうちの、気に入ったチャンネルや、興味が沸いたチャンネル等のチャンネル表示にお気に入りマークを付加させることができる。
【００９７】
従って、例えば、ユーザが、環状表示１０１を操作して複数の番組を短時間に切替えるザッピングを行いながら、最終的に視聴する番組を選択する場合、ザッピング中に、気になったチャンネルや、興味が沸いたチャンネルのチャンネル表示に、お気に入りマークを付加することにより、複数のチャンネル表示の中から、最終的に選択する番組のチャンネル表示の候補を絞ることができる。よって、ユーザが視聴を所望する番組を、効率良く、容易に選択することができる。
【００９８】
さらに、表示処理では、図５のチャンネル表示リスト１６１に番組の詳細情報が表示されるため、番組の詳細情報を、ユーザが視聴を所望する番組を選択するための判断材料とすることができる。よって、ユーザが視聴を所望する番組を、より効率良く、容易に選択することができる。
【００９９】
また、複数のチャンネル表示が、円盤状の環状表示１０１として、表示画面に収まる形で表示されるため、例えば、EPGをマトリクス状に表示した場合に比較して、直感的に、複数のチャンネル表示の個数等を認識することができ、チャンネルの全体像を容易に把握することができる。
【０１００】
ところで、上記実施の形態において、目印１３２は、複数のチャンネル表示により形成される環状表示１０１に接触して表示されるものとして説明したが、最初のチャンネル表示と最後のチャンネル表示との間の位置等を表すものであれば、どのように付加されていてもよく、例えば、最初のチャンネル表示と最後のチャンネル表示との間の位置を指し示す矢印等の、環状表示１０１に接触せずに表示されるものを、環状表示１０１に付加する目印１３２として採用することができる。
【０１０１】
また、上記実施の形態では、複数のチャンネル表示のうちの、いくつかのチャンネル表示が、水平方向に帯状に並んで表示されるように生成された環状表示１０１（図３ないし図５）を表示させることとしたが、環状表示１０１は、目印１３２や、電球状のお気に入りマーク、フォーカスされているチャンネル表示が隠れずに表示されており、かつ、複数のチャンネル表示が環状に配列されていれば、どのように表示させてもよく、例えば、複数のチャンネル表示のうちの、いくつかのチャンネル表示が、垂直方向に帯状に並んで表示されるように、複数のチャンネル表示を環状に配列することにより形成される環状表示や、複数のチャンネル表示すべてを表示させる環状表示等を表示させることが可能である。
【０１０２】
さらに、図５のチャンネル表示リスト１６１に配列されるチャンネル表示欄を、垂直方向に配列することとしたが、例えば、水平方向に配列することも可能である。
【０１０３】
また、図５において、チャンネル表示リスト１６１では、チャンネル表示と、そのチャンネル表示に対応するチャンネルの詳細情報を、チャンネル表示欄として表示することとしたが、例えば、チャンネル表示に対応するチャンネルの詳細情報を表示せずに、チャンネル表示のみを表示させるようにしてもよい。
【０１０４】
さらに、上記実施の形態では、チャンネル表示として、チャンネル番号と、放送局のロゴとを表示することとしたが、チャンネル番号と放送局のロゴとのいずれか一方のみを表示させるようにしてもよい。
【０１０５】
なお、上記実施の形態では、ユーザが選択可能な選択肢として、複数のチャンネルを例にして説明したが、例えば、ユーザが選択可能な選択肢としては、チャンネルの他、動画、音楽、静止画、アニメーション等のコンテンツを採用することが可能である。
【０１０６】
また、本発明は、DTVの他、表示画面にコンテンツを表示させるパーソナルコンピュータやPDA（Personal Digital Assistant）、携帯電話機等にも適用することができる。
【０１０７】
さらに、本明細書において、各処理を説明するステップは、記載された順序に沿って時系列的に行われる処理はもちろん、必ずしも時系列的に処理されなくとも、並列的あるいは個別に実行される処理をも含むものである。
【０１０８】
なお、本発明の実施の形態は、上述した実施の形態に限定されるものではなく、本発明の要旨を逸脱しない範囲において種々の変更が可能である。
【図面の簡単な説明】
【０１０９】
【図１】本発明を適用したDTVの一実施の形態の構成例を示すブロック図である。
【図２】図１のCPUが所定のプログラムを実行することにより実現される機能ブロックを示すブロック図である。
【図３】環状表示の表示例を示す図である。
【図４】お気に入りマークが付加された環状表示の表示例を示す図である。
【図５】お気に入りマークが付加された環状表示と、チャンネル表示リストとの表示例を示す図である。
【図６】表示処理を説明するフローチャートである。
【符号の説明】
【０１１０】
１  DTV，  ２  アンテナ，  ３  リモートコントローラ，  ３A  十字キー，  ３B  お気に入りボタン，  ３C  環状表示ボタン，  ３D  選択ボタン，  ３０  CPU，  ３１  記憶部，  ３２  メモリ，  ３３  受光部，  ３４  チューナ，  ３５  デスクランブラ，  ３６  DEMUX，  ３７  Audioデコーダ，  ３８  音声処理回路，  ３９  スピーカ，  ４０  Videoデコーダ，  ４１  OSD付加回路，  ４２  画像処理回路，  ４３  ディスプレイ，  ７１  環状表示生成部，  ７２  目印付加部，  ７３  お気に入りマーク付加部，  ７４  チャンネル表示リスト生成部，  ７５  表示制御部
【図１】
0004470123.tif 000002
【図２】
0004470123.tif 000003
【図３】
0004470123.tif 000004
【図４】
0004470123.tif 000005
【図５】
0004470123.tif 000006
【図６】
0004470123.tif 000007